(57)【要約】【課題】  スピーカーユニットの誤配線やスピーカーユニット自体の不具合を検知することができるスピーカー装置を提供する。【解決手段】  スピーカー筐体１０に配設された２以上のスピーカーユニット１１と、スピーカー筐体１０に配設され、集音信号６を出力するセンサーマイク１２と、スピーカーユニット１１のいずれか一つをターゲットユニットとして選択するターゲットユニット選択部２０と、外部音声信号４をターゲットユニットへ供給する音声信号供給部２１と、外部音声信号４及び集音信号６に基づいて、エラー出力を行うエラー検知部２５により構成される。【選択図】  図３
2013190632.tif 000002
【特許請求の範囲】
【請求項１】
スピーカー筐体に配設された２以上のスピーカーユニットと、
上記スピーカー筐体に配設され、集音信号を出力するセンサーマイクと、
１又は２以上の上記スピーカーユニットをターゲットユニットとして選択するターゲットユニット選択手段と、
入力音声信号を上記ターゲットユニットへ供給する音声信号供給手段と、
上記入力音声信号及び上記集音信号に基づいて、エラー出力を行うエラー検知手段とを備えたことを特徴とするスピーカー装置。
【請求項２】
テスト帯域の周波数成分を減衰させることにより、上記入力音声信号から非ターゲット音声信号を生成する帯域除去フィルタと、
上記テスト帯域以外の周波数成分を減衰させることにより、上記入力音声信号からリファレンス音声信号を生成する第１の帯域通過フィルタと、
上記テスト帯域以外の周波数成分を減衰させることにより、上記集音信号から検出音声信号を生成する第２の帯域通過フィルタとを備え、
上記音声信号供給手段は、上記入力音声信号を上記ターゲットユニットへ供給するとともに、上記非ターゲット音声信号を上記ターゲットユニット以外の上記スピーカーユニットへ供給し、
上記エラー検知手段は、上記検出音声信号と上記リファレンス音声信号とを比較し、当該比較結果に基づいて上記エラー出力を行うことを特徴とする請求項１に記載のスピーカー装置。
【請求項３】
上記リファレンス音声信号のパワーレベルが一定レベル以上であるか否かを判別するパワーレベル判別手段を備え、
上記エラー検知手段は、上記パワーレベル判別手段の判別結果に基づいて、上記エラー出力を行うことを特徴とする請求項２に記載のスピーカー装置。
【請求項４】
上記スピーカーユニットとして、音域が異なる低音用ユニット及び高音用ユニットを備え、
上記帯域除去フィルタ、第１の帯域通過フィルタ及び第２の帯域通過フィルタは、いずれも上記低音用ユニットの音域に含まれる第１のテスト帯域と、上記高音用ユニットの音域に含まれる第２のテスト帯域とを切り替えることができ、上記ターゲットユニットの選択結果に基づいて、第１及び第２のテスト帯域を切り替えることを特徴とする請求項２又は３に記載のスピーカー装置。
【請求項５】
上記入力音声信号としてテスト用のインパルス信号を生成するテスト信号生成手段と、
上記集音信号に基づいて、上記インパルス信号に対するインパルス応答の遅延時間を検出する遅延時間検出手段と、
上記遅延時間に基づいて、上記ターゲットユニット及び上記センサーマイク間の音波伝達距離を求める伝達距離算出手段とを備え、
上記エラー検知手段は、上記音波伝達距離に基づいて、上記エラー出力を行うことを特徴とする請求項１に記載のスピーカー装置。
【請求項６】
上記センサーマイクは、上記スピーカーユニットにより形成される配列の延長線上に配設されていることを特徴とする請求項５に記載のスピーカー装置。
【請求項７】
外部音声信号が入力される外部入力端子と、
上記外部音声信号を上記スピーカーユニットへ供給するとともに、上記スピーカーユニットごとに上記外部音声信号の遅延時間を調整する指向性制御手段と、
上記ターゲットユニット及び上記センサーマイク間の物理距離を保持する物理距離記憶手段と、
上記音波伝達距離及び上記物理距離の差分に基づいて、音速誤差を求める音速誤差算出手段とを備え、
上記指向性制御手段は、上記音速誤差に基づいて、上記遅延時間の補正を行うことを特徴とする請求項５又は６に記載のスピーカー装置。
【請求項８】
上記集音信号をフーリエ変換し、周波数ごとのパワーレベルを求めるパワーレベル算出手段と、
上記インパルス信号に対する上記ターゲットユニットのインパルス応答特性として、周波数ごとのパワーレベルからなる周波数特性を保持する周波数特性記憶手段とを備え、
上記エラー検知手段は、上記パワーレベル算出手段により求められた周波数ごとのパワーレベルと上記周波数特性とを比較し、当該比較結果に基づいて上記エラー出力を行うことを特徴とする請求項５〜７のいずれかに記載のスピーカー装置。
【発明の詳細な説明】
【技術分野】
【０００１】
本発明は、スピーカー装置に係り、さらに詳しくは、２以上のスピーカーユニットがスピーカー筐体に配設されたスピーカー装置の改良に関する。
【背景技術】
【０００２】
複数のスピーカーユニットをスピーカー筐体に配設したスピーカーシステムには、アレイスピーカー装置と呼ばれるものがあり、放送設備に用いられることがある。アレイスピーカー装置には、スピーカーユニットごとに遅延回路を設け、スピーカーユニットへ供給される音声信号について、スピーカーユニットごとの遅延時間を調整することにより、音波の指向性を制御することができるものもある（例えば、特許文献１）。【０００３】
上述したアレイスピーカー装置の各スピーカーユニットは、僅かな時間差をもって同じ音波を放出していることから、一部のスピーカーユニットが故障していても、その故障に気づきにくい。例えば、一部のスピーカーユニットが故障し、アレイスピーカー装置の指向性に異常が生じていた場合であっても、異常な音圧が生じている聴取点で観察しなければ、当該異常を発見することができなかった。また、音量の低下等により故障の発生に気づいたとしても、いずれのスピーカーユニットが故障しているのかを特定することは容易ではなかった。【０００４】
ここで、音声信号を増幅してスピーカーユニットへ供給するパワーアンプを内蔵したアレイスピーカー装置には、増幅回路内に生じた過電流や過電圧、回路素子の温度上昇などを検知することができるものが知られている。しかし、この様なパワーアンプ自体の検知機能を利用した故障検知では、スピーカーユニットの誤配線やスピーカーユニット自体の不具合を検知することができないという問題があった。【０００５】
例えば、音声信号の遅延調整がＤＳＰ（Digital Signal Processor）により行われるアレイスピーカー装置の場合、ＤＳＰは、スピーカー筐体上のユニット取付位置に対応づけられたチャンネルごとに遅延時間の調整を行う。このため、各スピーカーユニットは、スピーカー筐体上の位置に応じたチャンネルに接続する必要があるが、パワーアンプによる故障検知では、ＤＳＰ及びスピーカーユニット間の接続ミスを検知することができなかった。また、スピーカーユニットがコーン紙を振動板として用いるユニットである場合、パワーアンプによる故障検知では、コーン紙の破れを検知することができなかった。
【先行技術文献】
【特許文献】
【０００６】
【特許文献１】特開平７−８７５９０号公報
【発明の概要】
【発明が解決しようとする課題】
【０００７】
アレイスピーカー装置を放送設備として用いる場合、アレイスピーカー装置を設置した後は、放送を中断させることなく、スピーカーユニットの故障を検知できることが望ましい。しかし、従来のアレイスピーカー装置では、放送中にスピーカーユニットの故障を検知できるものはなかった。【０００８】
また、チャンネルごとに音声信号の遅延調整を行う従来のアレイスピーカー装置では、スピーカーユニットが間違ったチャンネルに接続されているといった不具合を検知できるものはなかった。【０００９】
本発明は、上記事情に鑑みてなされたものであり、スピーカーユニットの不具合を検知することができるスピーカー装置を提供することを目的とする。特に、スピーカーユニットの誤配線やスピーカーユニット自体の不具合を検知することができるスピーカー装置を提供することを目的とする。【００１０】
また、本発明は、音声放出を中断させることなく、スピーカーユニットの故障を検知することができるスピーカー装置を提供することを目的とする。さらに、放送中にスピーカーユニットの故障を検知することができるとともに、暗騒音の影響によって誤検知が発生するのを防止することができるスピーカー装置を提供することを目的とする。【００１１】
また、本発明は、スピーカーユニット自体の不具合を検知することができるとともに、スピーカーユニットの誤配線も検知することができるスピーカー装置を提供することを目的とする。さらに、スピーカーユニットの誤配線を検知することができるとともに、指向制御の精度を向上させることができるスピーカー装置を提供することを目的とする。
【課題を解決するための手段】
【００１２】
本発明の第一の態様によるスピーカー装置は、スピーカー筐体に配設された２以上のスピーカーユニットと、上記スピーカー筐体に配設され、集音信号を出力するセンサーマイクと、１又は２以上の上記スピーカーユニットをターゲットユニットとして選択するターゲットユニット選択手段と、入力音声信号を上記ターゲットユニットへ供給する音声信号供給手段と、上記入力音声信号及び上記集音信号に基づいて、エラー出力を行うエラー検知手段とを備えて構成される。【００１３】
この様な構成によれば、複数のスピーカーユニットが配設されたスピーカー筐体にセンサーマイクが配設されているので、スピーカーユニットから放出された音声をセンサーマイクで集音することにより、スピーカーユニットの不具合を検知することができる。【００１４】
本発明の第二の態様によるスピーカー装置は、上記構成に加え、テスト帯域の周波数成分を減衰させることにより、上記入力音声信号から非ターゲット音声信号を生成する帯域除去フィルタと、上記テスト帯域以外の周波数成分を減衰させることにより、上記入力音声信号からリファレンス音声信号を生成する第１の帯域通過フィルタと、上記テスト帯域以外の周波数成分を減衰させることにより、上記集音信号から検出音声信号を生成する第２の帯域通過フィルタとを備え、上記音声信号供給手段が、上記入力音声信号を上記ターゲットユニットへ供給するとともに、上記非ターゲット音声信号を上記ターゲットユニット以外の上記スピーカーユニットへ供給し、上記エラー検知手段が、上記検出音声信号と上記リファレンス音声信号とを比較し、当該比較結果に基づいて上記エラー出力を行うように構成される。【００１５】
このスピーカー装置では、ターゲットユニットからはテスト帯域の周波数成分を含む音声が放出されるのに対し、ターゲットユニット以外のスピーカーユニットからはテスト帯域の周波数成分を減衰させた音声が放出される。そして、入力音声信号及び集音信号のテスト帯域を比較することにより、エラー出力が行われる。つまり、このスピーカー装置では、入力音声信号及び非ターゲット音声信号をスピーカーユニットへ供給した際に、テスト帯域の周波数成分がターゲットユニットからしか放出されないことを利用して、ターゲットユニットに関する不具合が検知される。このため、入力音声信号に基づく音声放出を中断させることなく、スピーカーユニットの故障を検知することができる。つまり、この様なスピーカー装置を放送設備として用いる場合には、放送中にスピーカーユニットの故障を検知することができる。また、入力音声信号及び集音信号のテスト帯域を比較するので、スピーカーユニット自体の不具合を検知することができる。【００１６】
本発明の第三の態様によるスピーカー装置は、上記構成に加え、上記リファレンス音声信号のパワーレベルが一定レベル以上であるか否かを判別するパワーレベル判別手段を備え、上記エラー検知手段が、上記パワーレベル判別手段の判別結果に基づいて、上記エラー出力を行うように構成される。【００１７】
この様な構成によれば、入力音声信号からテスト帯域以外の周波数成分を減衰させて得られるリファレンス音声信号のパワーレベルが一定レベル以上であるか否かに応じて、エラー出力が行われる。このため、入力音声信号のテスト帯域についてパワーレベルが低い場合に、暗騒音の影響により、集音信号のテスト帯域がノイズに埋もれ、ターゲットユニットの故障を誤検知するといったことを防止することができる。従って、放送中にスピーカーユニットの故障を検知することができるとともに、暗騒音の影響によって誤検知が発生するのを防止することができる。【００１８】
本発明の第四の態様によるスピーカー装置は、上記構成に加え、上記スピーカーユニットとして、音域が異なる低音用ユニット及び高音用ユニットを備え、上記帯域除去フィルタ、第１の帯域通過フィルタ及び第２の帯域通過フィルタが、いずれも上記低音用ユニットの音域に含まれる第１のテスト帯域と、上記高音用ユニットの音域に含まれる第２のテスト帯域とを切り替えることができ、上記ターゲットユニットの選択結果に基づいて、第１及び第２のテスト帯域を切り替えるように構成される。【００１９】
この様な構成によれば、ターゲットユニットが低音用ユニット又は高音用ユニットのいずれであるのかに応じてテスト帯域を切り替えることにより、ターゲットユニットが低音用ユニット又は高音用ユニットのいずれであっても故障を検知することができる。【００２０】
本発明の第五の態様によるスピーカー装置は、上記構成に加え、上記入力音声信号としてテスト用のインパルス信号を生成するテスト信号生成手段と、上記集音信号に基づいて、上記インパルス信号に対するインパルス応答の遅延時間を検出する遅延時間検出手段と、上記遅延時間に基づいて、上記ターゲットユニット及び上記センサーマイク間の音波伝達距離を求める伝達距離算出手段とを備え、上記エラー検知手段が、上記音波伝達距離に基づいて、上記エラー出力を行うように構成される。【００２１】
このスピーカー装置では、テスト用のインパルス信号が入力音声信号として生成されるので、インパルス信号をターゲットユニットへ供給した際に得られる集音信号に基づいて、エラー出力が行われる。このため、集音信号を解析することにより、スピーカーユニット自体の不具合を検知することができる。【００２２】
また、インパルス信号に対するインパルス応答の遅延時間が検出され、この遅延時間からターゲットユニット及びセンサーマイク間の音波伝達距離を求めてターゲットユニットに関する不具合が検知される。つまり、音波伝達距離からターゲットユニットのスピーカー筐体上の位置を特定することにより、音声信号供給手段とスピーカーユニットとの間の接続ミスを検知することができる。【００２３】
本発明の第六の態様によるスピーカー装置は、上記構成に加え、上記センサーマイクが、上記スピーカーユニットにより形成される配列の延長線上に配設されているように構成される。【００２４】
この様な構成によれば、ターゲットユニットとしていずれのスピーカーユニットを選択した場合であっても、音波伝達距離からターゲットユニットの位置を特定することができるので、スピーカーユニットの誤配線を検知する際の検知精度を向上させることができる。【００２５】
本発明の第七の態様によるスピーカー装置は、上記構成に加え、外部音声信号が入力される外部入力端子と、上記外部音声信号を上記スピーカーユニットへ供給するとともに、上記スピーカーユニットごとに上記外部音声信号の遅延時間を調整する指向性制御手段と、上記ターゲットユニット及び上記センサーマイク間の物理距離を保持する物理距離記憶手段と、上記音波伝達距離及び上記物理距離の差分に基づいて、音速誤差を求める音速誤差算出手段とを備え、上記指向性制御手段が、上記音速誤差に基づいて、上記遅延時間の補正を行うように構成される。【００２６】
このスピーカー装置では、外部入力端子に入力された外部音声信号がスピーカーユニットへ供給されるとともに、スピーカーユニットごとに外部音声信号の遅延時間を調整することにより、指向性の制御が行われる。その際、テスト用のインパルス信号をターゲットユニットから放出させて得られた音波伝達距離とターゲットユニット及びセンサーマイク間の物理距離との差分から音速誤差を求めて遅延時間の補正を行うことにより、指向制御の精度を向上させることができる。【００２７】
本発明の第八の態様によるスピーカー装置は、上記構成に加え、上記集音信号をフーリエ変換し、周波数ごとのパワーレベルを求めるパワーレベル算出手段と、上記インパルス信号に対する上記ターゲットユニットのインパルス応答特性として、周波数ごとのパワーレベルからなる周波数特性を保持する周波数特性記憶手段とを備え、上記故障検知手段が、上記パワーレベル算出手段により求められた周波数ごとのパワーレベルと上記周波数特性とを比較し、当該比較結果に基づいて上記エラー出力を行うように構成される。【００２８】
この様な構成によれば、テスト用のインパルス信号をターゲットユニットから放出させた際の集音信号から得られる周波数特性と予め保持される周波数特性とを比較してエラー出力を行うので、スピーカーユニット自体の不具合を確実に検知することができる。
【発明の効果】
【００２９】
本発明によるスピーカー装置では、複数のスピーカーユニットが配設されたスピーカー筐体にセンサーマイクが配設されているので、スピーカーユニットの不具合を検知することができる。特に、スピーカーユニットの誤配線やスピーカーユニット自体の不具合を検知することができる。【００３０】
また、本発明によるスピーカー装置では、入力音声信号又は非ターゲット音声信号を各スピーカーユニットへ供給した際に、テスト帯域の周波数成分がターゲットユニットからしか放出されないことを利用して、エラー出力を行うので、音声放出を中断させることなく、スピーカーユニットの故障を検知することができる。さらに、放送中にスピーカーユニットの故障を検知することができるとともに、暗騒音の影響によって誤検知が発生するのを防止することができる。【００３１】
また、本発明によるスピーカー装置では、スピーカーユニット自体の不具合を検知することができるとともに、スピーカーユニットの誤配線も検知することができる。さらに、スピーカーユニットの誤配線を検知することができるとともに、指向制御の精度を向上させることができる。
【図面の簡単な説明】
【００３２】
【図１】本発明の実施の形態１によるアレイスピーカー装置１を含む拡声システム１００の一構成例を示したシステム図である。
【図２】図１のアレイスピーカー装置１の一構成例を示した図である。
【図３】図２のＤＳＰ１６内の機能構成の一例を示したブロック図である。
【図４】図３のノッチフィルタ２２，狭帯域ＢＰＦ２３ａ及び２３ｂの動作の一例を模式的に示した説明図である。
【図５】本発明の実施の形態２によるアレイスピーカー装置１の構成例を示したブロック図であり、ＤＳＰ１６内の機能構成の一例が示されている。
【図６】図５のＤＳＰ１６の動作の一例を模式的に示した説明図である。
【図７】スピーカーユニット１１の周波数特性の一例を示した図であり、周波数ごとのパワーレベルが示されている。
【発明を実施するための形態】
【００３３】
実施の形態１．
＜拡声システム１００＞
図１は、本発明の実施の形態１によるアレイスピーカー装置１を含む拡声システム１００の一構成例を示したシステム図である。この拡声システム１００は、２つのアレイスピーカー装置１と、信号源２及び増幅器３により構成され、信号源２において生成された放送信号が増幅器３により増幅され、増幅後の放送信号が各アレイスピーカー装置１へ伝送される。
【００３４】
例えば、マイクロホンを信号源２とし、オーディオ帯域の周波数成分からなる集音信号がマイクロホンで生成され、増幅器３において増幅された後に放送信号として各アレイスピーカー装置１へ伝送される。つまり、マイクロホンで集音された放送信号が各アレイスピーカー装置１へ伝送され、外部音声信号として入力される。各アレイスピーカー装置１は、入力された放送信号に基づいて、放送音を出力する。
【００３５】
アレイスピーカー装置１は、スピーカー筐体１０と、２以上のスピーカーユニット１１と、２つのセンサーマイク１２を備えたスピーカーシステムであり、放送信号の遅延調整により放送音の指向性を制御することができる。
【００３６】
スピーカーユニット１１は、放送信号などの音声信号を音波に変換する拡声素子である。例えば、ダイナミック型スピーカーユニットの場合、コーン紙等の振動板と、振動板を振動させるためのボイスコイルにより構成される。
【００３７】
スピーカー筐体１０は、エンクロージャーと呼ばれる直方体形状の箱体である。各スピーカーユニット１１は、スピーカー筐体１０にアレイ状に配設される。例えば、各スピーカーユニット１１は、スピーカー筐体１０の前面に線状又は面状に配設される。
【００３８】
このアレイスピーカー装置１では、スピーカー筐体１０が縦長形状からなり、３以上のスピーカーユニット１１が直線状に配設されている。すなわち、各スピーカーユニット１１は、スピーカー筐体１０の長尺方向に配列されている。
【００３９】
センサーマイク１２は、スピーカーユニット１１からの音波を集音するマイクロホンであり、アレイスピーカー装置１は、少なくとも１つのセンサーマイク１２を備えている。このセンサーマイク１２は、各スピーカーユニット１１から距離が互いに異なるように、スピーカーユニット１１により形成される配列の一端に配置されたスピーカーユニット１１よりもさらに一端側に配設されている。
【００４０】
具体的に説明すれば、センサーマイク１２は、スピーカーユニット１１による配列の延長上、例えば、スピーカー筐体１０の前面の端部近傍に配設されている。２以上のセンサーマイク１２をスピーカー筐体１０に配設することにより、故障検知の精度を向上させることができる。
【００４１】
この様なアレイスピーカー装置１を縦長状態で設置すれば、仰俯角方向（上下方向）の指向性を制御することができる。例えば、上下方向の指向角を広げたり、狭めたりすることができる。また、上下方向についての指向方向を制御することができる。全く同様にして、アレイスピーカー装置１を横長の状態に設置すれば、方位角方向（左右方向）の指向性を制御することができる。例えば、左右方向の指向角を広げたり、狭めたりすることができる。また、左右方向についての指向方向を制御することができる。
【００４２】
＜アレイスピーカー装置１＞
図２は、図１のアレイスピーカー装置１の一構成例を示した図である。この図には、８個のスピーカーユニット１１と、８個のパワーアンプ１８とを備えたアレイスピーカー装置１が示されている。このアレイスピーカー装置１は、放送用端子１３、ＡＤＣ１４，１５、ＤＳＰ１６及びＤＡＣ１７を備えて構成されている。
【００４３】
放送用端子１３は、外部音声信号４が入力される外部入力端子であり、スピーカー筐体１０に配設されている。ＡＤＣ（アナログ−デジタルコンバータ）１４及び１５は、いずれもアナログ信号をデジタル信号に変換する変換素子であり、２チャンネル分の入力端子及び出力端子が設けられている。
【００４４】
ＡＤＣ１４は、放送用端子１３を経由して入力される外部音声信号４を所定の周期でサンプリングし、デジタルデータ化してＤＳＰ１６へ出力するとともに、センサーマイク１２から入力される集音信号６についても、外部音声信号４と同様にデジタルデータ化してＤＳＰ１６へ出力する。ＡＤＣ１５は、センサーマイク１２から入力される集音信号６をＡＤＣ１４と同様にデジタルデータ化してＤＳＰ１６へ出力する。
【００４５】
ＤＳＰ１６は、外部音声信号４の遅延調整と、集音信号６に基づいてスピーカーユニット１１の故障検知を行う信号処理部である。ＤＳＰ１６は、放送用端子１３に入力された外部音声信号４を各ＤＡＣ１７へ供給する場合に、スピーカーユニット１１ごとに外部音声信号４の遅延時間を調整することにより、放送音の指向性を制御する。また、ＤＳＰ１６は、スピーカー筐体１０上のユニット取付位置、若しくは、スピーカーユニット１１の配列中における位置に対応づけられたチャンネルを有し、このチャンネルごとに遅延時間の調整を行う。
【００４６】
ＤＡＣ（デジタル−アナログコンバータ）１７は、デジタル信号をアナログ信号に変換する変換素子であり、２チャンネル分の入力端子及び出力端子が設けられている。ＤＡＣ１７は、ＤＳＰ１６から入力される音声信号をアナログ信号に変換し、パワーアンプ１８へ出力する。
【００４７】
パワーアンプ１８は、ＤＡＣ１７から入力される音声信号を増幅することにより、スピーカーユニット１１を駆動するためのスピーカー駆動信号５を生成する増幅器である。パワーアンプ１８は、スピーカーユニット１１ごとに設けられ、スピーカーユニット１１ごとに放送音の音量を調整することができる。
【００４８】
＜ＤＳＰ１６＞
図３は、図２のＤＳＰ１６内の機能構成の一例を示したブロック図である。この図では、外部音声信号４に基づく音声放出を中断させることなくスピーカーユニット１１の故障検知を行う場合が示されている。ＤＳＰ１６は、ターゲットユニット選択部２０、音声信号供給部２１、ノッチフィルタ（notch filter）２２、狭帯域ＢＰＦ（バンドパスフィルタ）２３ａ，２３ｂ、パワーレベル判別部２４及びエラー検知部２５により構成される。
【００４９】
ターゲットユニット選択部２０は、スピーカーユニット１１のいずれか一つを故障検知のターゲットユニットとして選択し、その選択結果を音声信号供給部２１へ出力する。このターゲットユニット選択部２０は、各スピーカユニット１１を順次にターゲットユニットとして選択する。ターゲットユニットの選択は、予め定められた順序で自動的に行われ、ターゲットユニットが選択されるごとに故障検知が行われる。ここでは、ターゲットユニット以外のスピーカーユニット１１を非ターゲットユニットと呼ぶ。
【００５０】
ノッチフィルタ２２は、テスト帯域２６の周波数成分を減衰させることにより、外部音声信号４から非ターゲット音声信号７を生成する帯域除去フィルタである。つまり、ノッチフィルタ２２では、テスト帯域２６の周波数成分を除去し、テスト帯域２６以外の周波数成分は通過させる。
【００５１】
テスト帯域２６は、ターゲットユニットの故障を検知するための所定の周波数帯域であり、その中心周波数や帯域幅は、ターゲットユニットの音域や周波数特性に応じて予め定められる。例えば、テスト帯域２６は、帯域幅が狭く、帯域内の上限周波数は、下限周波数の１０倍程度である。
【００５２】
狭帯域ＢＰＦ２３ａ及び２３ｂは、いずれもテスト帯域２６以外の周波数成分を減衰させる帯域通過フィルタである。つまり、狭帯域ＢＰＦ２３ａ，２３ｂでは、テスト帯域２６の周波数成分を通過させ、テスト帯域２６以外の周波数成分は除去される。
【００５３】
狭帯域ＢＰＦ２３ａは、外部音声信号４からテスト帯域２６以外の周波数成分を減衰させることにより、集音信号６と比較するためのリファレンス音声信号８を生成する。狭帯域ＢＰＦ２３ｂは、テスト帯域２６以外の周波数成分を減衰させることにより、集音信号６から検出音声信号９を生成する。
【００５４】
音声信号供給部２１は、外部音声信号４をターゲットユニットへ供給するとともに、非ターゲット音声信号７を非ターゲットユニットへ供給する。つまり、ターゲットユニットからはテスト帯域２６の周波数成分を含む音声が放出されるのに対し、非ターゲットユニットからはテスト帯域２６の周波数成分を減衰させた音声が放出される。
【００５５】
エラー検知部２５は、信号比較部２５ａ及び故障判別部２５ｂにより構成され、検出音声信号９及びリファレンス音声信号８に基づいて、ターゲットユニットに関する不具合を検知し、エラー出力を行う。このエラー検知部２５では、テスト帯域２６の周波数成分がターゲットユニットからしか放出されないことを利用して、ターゲットユニットの故障を検知する。
【００５６】
信号比較部２５ａは、検出音声信号９とリファレンス音声信号８とを比較し、その比較結果を故障判別部２５ｂへ出力する。検出音声信号９及びリファレンス音声信号８の比較は、非ターゲット音声信号７の出力期間中に得られた集音信号６について行われる。故障判別部２５ｂは、信号比較部２５ａの比較結果に基づいて、ターゲットユニットに故障が生じているか否かを判別し、その判別結果を検知情報として出力する。
【００５７】
パワーレベル判別部２４は、リファレンス音声信号８のパワーレベルが一定レベル以上であるか否かを判別し、その判別結果を信号比較部２５ａへ出力する。例えば、一定期間について、リファレンス音声信号８の振幅レベルを検知し、振幅レベルのピークが所定の閾値と比較される。或いは、サンプリング期間における振幅レベルの時間平均が所定の閾値と比較される。具体的には、センサーマイク１２から定常的に集音される暗騒音（周りのノイズ）に対して、十分な振幅レベルでリファレンス音声信号８が存在するか否かが判別される。
【００５８】
エラー検知部２５は、リファレンス音声信号８のパワーレベルが一定レベル以上である場合に、ターゲットユニットの故障検知を行うことにより、暗騒音（background noise）に起因してターゲットユニットの故障を誤検知するのを防止している。すなわち、信号比較部２５ａは、パワーレベル判別部２４の判別結果に基づいて、検出音声信号９及びリファレンス音声信号８の比較処理を行う。
【００５９】
例えば、信号比較部２５ａは、検出音声信号９の振幅レベルとリファレンス音声信号８の振幅レベルとを比較する。故障判別部２５ｂは、その比較結果に基づいて、ＤＳＰ１６及びターゲットユニット間の配線における断線や短絡と、パワーアンプ１８の不具合と、ターゲットユニット自体の不具合を判別する。
【００６０】
具体的には、振幅レベルが一定レベルを越えているピークの出現回数を計数し、検出音声信号９及びリファレンス音声信号８間で一致するか否かを判別することにより、ターゲットユニットの不具合を検知することができる。
【００６１】
ここで、スピーカーユニット１１として、音域が異なる低音用ユニット及び高音用ユニットを備える場合、ノッチフィルタ２２、狭帯域ＢＰＦ２３ａ及び２３ｂは、いずれも低音用ユニットの音域に含まれるテスト帯域２６ｗと、高音用ユニットの音域に含まれるテスト帯域２６ｔとを切り替える。このテスト帯域２６の切替は、ターゲットユニット選択部２０によるターゲットユニットの選択結果に基づいて行われる。
【００６２】
この様にターゲットユニットの音域に応じてテスト帯域２６を変更することにより、ターゲットユニットが低音用ユニット又は高音用ユニットのいずれであっても故障を検知することができる。
【００６３】
図４は、図３のノッチフィルタ２２，狭帯域ＢＰＦ２３ａ及び２３ｂの動作の一例を模式的に示した説明図であり、図中の（ａ）には、ノッチフィルタ２２の場合が示され、（ｂ）には、狭帯域ＢＰＦ２３ａ，２３ｂの場合が示されている。この図では、横軸を周波数とし、縦軸をパワーレベルとして周波数ごとのパワーレベルからなる周波数特性が示されている。
【００６４】
ノッチフィルタ２２の場合、周波数ごとのパワーレベルが概ね一定値ｐ０である音声信号を入力すれば、テスト帯域２６の周波数成分だけが減衰された音声信号が出力される。テスト帯域２６の中心周波数をｆ１とし、周波数ｆ１における出力信号のパワーレベルをｐ１とすれば、テスト帯域２６の帯域幅は、出力信号のパワーレベルがｐ２＝ｐ１＋３ｄＢである周波数の範囲ｗ１により規定される。
【００６５】
一方、狭帯域ＢＰＦ２３ａ，２３ｂの場合、周波数ごとのパワーレベルが概ね一定値ｐ０である音声信号を入力すれば、テスト帯域２６以外の周波数成分が減衰された音声信号が出力される。テスト帯域２６の中心周波数ｆ２は、ｆ２＝ｆ１であり、周波数ｆ２における出力信号のパワーレベルをｐ３とすれば、テスト帯域２６の帯域幅は、出力信号のパワーレベルがｐ４＝ｐ３−３ｄＢである周波数の範囲ｗ２により規定される。このｗ２は、概ねｗ１と一致している。
【００６６】
この様な周波数特性のノッチフィルタ２２を用いることにより、ターゲットユニットからはテスト帯域２６の周波数成分を含む音声が放出されるのに対し、非ターゲットユニットからはテスト帯域２６の周波数成分を減衰させた音声を放出させることができる。また、狭帯域ＢＰＦ２３ａ，２３ｂを用いて、外部音声信号４及び集音信号６からテスト帯域２６以外の周波数成分を減衰させたリファレンス音声信号８及び検出音声信号９がそれぞれ生成される。つまり、外部音声信号４及び集音信号６のテスト帯域２６を比較することにより、故障検知を行うので、外部音声信号４に基づく放送音の放出を中断させることなく、スピーカーユニット１１の故障を検知することができる。
【００６７】
本実施の形態によれば、、複数のスピーカーユニット１１が配設されたスピーカー筐体１０にセンサーマイク１２が配設されているので、スピーカーユニット１１から放出された音声をセンサーマイク１２で集音することにより、スピーカーユニット１１の故障を検知することができる。
【００６８】
具体的には、外部音声信号４及び非ターゲット音声信号７をスピーカーユニット１１へ供給した際に、テスト帯域２６の周波数成分がターゲットユニットからしか放出されないことを利用して、ターゲットユニットの故障が検知される。このため、放送を中断させることなく、スピーカーユニット１１の故障を検知することができる。また、テスト帯域２６以外の周波数成分は各スピーカーユニット１１から放出されるので、放送音の音質が劣化するのを抑制しつつ、スピーカーユニット１１の故障を検知することができる。
【００６９】
なお、本実施の形態では、スピーカーユニット１１のいずれか一つをターゲットユニットとして選択し、ターゲットユニットが選択されるごとに故障検知を行う場合の例について説明したが、本発明はこの様な構成に限定されるものではない。例えば、複数のスピーカーユニット１１をターゲットユニットとして選択し、これらのターゲットユニットについて、スピーカーユニット１１ごとにテスト帯域２６を異ならせることにより、複数のスピーカーユニット１１について同時に故障検知を行うような構成であっても良い。つまり、この構成では、１つのターゲットユニットごとにテスト帯域が指定される。
【００７０】
実施の形態２．
実施の形態１では、外部音声信号４に基づく音声放出を中断させることなくスピーカーユニット１１の故障検知が行われる場合の例について説明した。これに対し、本実施の形態では、テスト用のインパルス信号を用いてスピーカーユニット１１の故障検知を行う場合について説明する。
【００７１】
図５は、本発明の実施の形態２によるアレイスピーカー装置１の構成例を示したブロック図であり、ＤＳＰ１６内の機能構成の一例が示されている。このＤＳＰ１６は、ターゲットユニット選択部２０、音声信号供給部２１、テスト信号生成部３０、音声信号比較部３１、エラー検知部３２、周波数特性記憶部３３、音速誤差算出部３４、物理距離記憶部３５及び指向性制御部３６により構成される。
【００７２】
ここでは、ＤＳＰ１６が、拡声モードと測定モードとを図示しない操作部からの入力信号に基づいて、切り替えるものとする。拡声モードは、放送用端子１３に入力された外部音声信号４を各スピーカーユニット１１から放出させる動作モードである。一方、測定モードは、テスト用のインパルス信号をターゲットユニットから放出させてインパルス応答を測定する動作モードである。
【００７３】
ターゲットユニット選択部２０は、測定モード時に、スピーカーユニット１１のいずれか一つを故障検知のターゲットユニットとして選択し、その選択結果を音声信号供給部２１へ出力する。例えば、ターゲットユニットは、一定の時間間隔ＴＩで順次に選択される。例えば、時間間隔ＴＩは、１００ｍｓ程度である。
【００７４】
テスト信号生成部３０は、テスト用のインパルス信号を生成し、音声信号供給部２１及び音声信号比較部３１へ出力する。テスト用インパルス信号は、ターゲットユニットの故障を検知するための入力音声信号であり、無信号状態から立ち上がり、無信号状態へ立ち下がるまでに所定の時間長Ｔ１からなる。例えば、オーディオ帯域の様々な周波数成分を含むパルス状の信号がテスト用インパルス信号として生成される。
【００７５】
ここでは、時間長Ｔ１が数ｍｓ程度のスイープ（sweep）信号がテスト用インパルス信号として用いられる。スイープ信号は、時間長Ｔ１内で周波数が連続的に高くなる正弦波信号である。例えば、テスト用インパルス信号について、時間長Ｔ１及び振幅レベルと、時間長Ｔ１内で周波数を変化させる際の変動幅、上限周波数及び下限周波数とは、ターゲットユニットの音域や周波数特性に応じて予め定められる。
【００７６】
音声信号供給部２１は、テスト信号生成部３０から入力されたテスト用インパルス信号をターゲットユニットへ供給する。音声信号比較部３１は、遅延時間検出部４１、伝達距離算出部４２及びパワーレベル算出部４３により構成され、テスト用インパルス信号と集音信号６とを比較し、その比較結果をエラー検知部３２へ出力する。テスト用インパルス信号及び集音信号６の比較は、テスト用インパルス信号と集音信号６とを同期させて行われる。
【００７７】
遅延時間検出部４１は、ターゲットユニットの誤配線を検知するために、集音信号６に基づいて、テスト用インパルス信号に対するインパルス応答の遅延時間Ｔ２を検出し、検出結果を伝達距離算出部４２へ出力する。伝達時距離算出部４２は、遅延時間検出部４１により検出された遅延時間Ｔ２に基づいて、ターゲットユニットとセンサーマイク１２と間の音波伝達距離Ｌｄを求める。音波伝達距離Ｌｄは、音速Ｖを用いて、Ｌｄ＝Ｖ×Ｔ２により求められる。
【００７８】
パワーレベル算出部４３は、ターゲットユニット自体の不具合を検知するために、集音信号６をフーリエ変換し、周波数ごとのパワーレベルを求める。例えば、一定期間について得られた集音信号６の振幅データを高速フーリエ変換することにより、周波数ごとのパワーレベルからなる周波数特性が求められる。
【００７９】
エラー検知部３２は、音声信号比較部３１の比較結果に基づいて、ターゲットユニットに関する不具合を検知し、エラー出力を行う。具体的には、音波伝達距離Ｌｄに基づいて、ターゲットユニットの誤配線を検知し、その検知結果を検知情報として出力する。すなわち、ターゲットユニットが接続されるべきチャンネルに対応するスピーカー筐体１０上のユニット取付位置とセンサーマイク１２との距離を音波伝達距離Ｌｄと照合することにより、ＤＳＰ１６及びターゲットユニット間の接続ミスが検知される。
【００８０】
センサーマイク１２をスピーカー筐体１０の任意の位置に取り付ける場合、センサーマイク１２の取付位置によっては、音波伝達距離Ｌｄからターゲットユニットの取付位置を特定できない場合がある。これに対し、本実施の形態では、センサーマイク１２がスピーカーユニット１１の配列の延長上に配設されているので、ターゲットユニットがいずれのスピーカーユニット１１であっても、音波伝達距離Ｌｄからターゲットユニットの取付位置を特定することができる。
【００８１】
周波数特性記憶部３３には、ターゲットユニットの周波数特性が保持される。この周波数特性は、ターゲットユニットのインパルス応答特性であり、周波数ごとのパワーレベルからなる。この周波数特性記憶部３３には、全てのスピーカーユニット１１について、予め測定された周波数特性が保持される。
【００８２】
エラー検知部３２は、パワーレベル算出部４３により求められた周波数ごとのパワーレベルと周波数特性記憶部３３に保持されている周波数特性とを比較し、その比較結果に基づいてターゲットユニットの故障検知を行う。これにより、ターゲットユニットの状態を正確に識別することができ、コーン紙の破れといった振動板の不具合、音質の劣化や音域の変化を検知することができる。
【００８３】
エラー検知部３２では、テスト用インパルス信号に対するインパルス応答の極性に基づいて、ターゲットユニットが間違った極性に接続されているといった接続ミスを検知することができる。また、インパルス応答の有無により、ＤＳＰ１６及びターゲットユニット間の配線における断線や短絡、パワーアンプ１８の不具合を検知することができる。
【００８４】
物理距離記憶部３５には、ターゲットユニット及びセンサーマイク１２間の物理距離Ｌｂが保持される。この物理距離Ｌｂは、スピーカーユニット１１とセンサーマイク１２との間の実際の距離であり、音速Ｖと遅延時間Ｔ２とから推定される音波伝達距離Ｌｄとの比較に用いられる。物理距離記憶部３５には、全てのスピーカーユニット１１について、物理距離Ｌｂが予め保持されている。音速誤差算出部３４は、音波伝達距離Ｌｄと物理距離Ｌｂとの差分に基づいて、音速誤差ＶＥを求める。音速誤差ＶＥは、（Ｌｄ−Ｌｂ）の絶対値とインパルス応答の遅延時間Ｔ２との除算により求められる。
【００８５】
指向性制御部３６は、拡声モード時に、外部音声信号４を各スピーカーユニット１１へ供給するとともに、スピーカーユニット１１ごとに外部音声信号４の遅延時間を調整する。この遅延時間の調整は、隣接するスピーカーユニット１１間の位相差が所望の値となるように行われる。
【００８６】
指向性制御部３６では、所望の指向性を得るために、測定モード時に音速誤差算出部３４により求められた音速誤差ＶＥに基づいて、スピーカーユニット１１ごとの遅延時間を補正する動作が行われる。つまり、音速誤差ＶＥを用いて、隣接するスピーカーユニット１１間の位相差が調整される。
【００８７】
図６は、図５のＤＳＰ１６の動作の一例を模式的に示した説明図であり、図中の（ａ）には、テスト信号が示され、（ｂ）には、テスト信号に対するインパルス応答が示されている。この図では、横軸を時間とし、縦軸を振幅として信号波形が示されている。
【００８８】
テスト信号は、スイープ信号であり、一定の振幅を維持しながら、時間長Ｔ１内で周波数が徐々に高くなっている。一方、インパルス応答は、テスト信号をターゲットユニットから放出させた際にセンサーマイク１２で集音された応答信号であり、振幅が徐々に小さくなる減衰信号からなる。
【００８９】
この様なインパルス応答の時間的遅れ、すなわち、テスト信号に対するインパルス応答の遅延時間Ｔ２を検出することにより、ターゲットユニットの誤配線を検知することができる。また、インパルス応答の極性をテスト信号と比較することにより、ターゲットユニットが正しい極性で接続されているか否かを判別することができる。
【００９０】
図７は、スピーカーユニット１１の周波数特性の一例を示した図であり、周波数ごとのパワーレベルが示されている。この図では、横軸を周波数とし、縦軸をパワーレベルとして予め測定された周波数特性が示されている。
【００９１】
スピーカーユニット１１の周波数特性は、振動板の構造や材質、スピーカー筐体１０の構造等により規定される。周波数特性を示す特性曲線は、周波数が増加するのに従って、パワーレベルが徐々に低下し、カットオフ周波数ｆａ付近では、急激に減少している。
【００９２】
この様な周波数特性を測定モード時にテスト信号を放出させて得られた周波数特性と比較することにより、ターゲットユニット自体の不具合を検知することができる。特に、ウーハー用ユニットとツイーター用ユニットとでは、音域が異なり、特性曲線が大きく異なることから、ウーハー用ユニットやツイーター用ユニットが正しく接続されているか否か、或いは、音量や音域が正常であるか否かを検知することができる。
【００９３】
本実施の形態によれば、テスト用インパルス信号に対するインパルス応答の遅延時間Ｔ２が検出され、この遅延時間Ｔ２からターゲットユニット及びセンサーマイク１２間の音波伝達距離Ｌｄを求めてターゲットユニットの誤配線が検知される。つまり、音波伝達距離Ｌｄからターゲットユニットのスピーカー筐体１０上の位置を特定することにより、スピーカーユニット１１が間違ったチャンネルに接続されているといった接続ミスを検知することができる。
【００９４】
また、スピーカーユニット１１ごとに外部音声信号４の遅延時間を調整する際に、テスト信号をターゲットユニットから放出させて得られた音波伝達距離Ｌｄとターゲットユニット及びセンサーマイク１２間の物理距離Ｌｂとの差分から音速誤差ＶＥを求めて遅延時間を補正するので、指向制御の精度を向上させることができる。
【００９５】
なお、本実施の形態では、スピーカーユニット１１のいずれか一つをターゲットユニットとして選択し、ターゲットユニットが選択されるごとに故障検知を行う場合の例について説明したが、本発明はこの様な構成に限定されるものではない。例えば、複数のスピーカーユニット１１をターゲットユニットとして選択し、これらのターゲットユニットからインパルス信号を出力させることにより、複数のスピーカーユニット１１について同時に故障検知を行うような構成であっても良い。具体的には、インパルス信号に対する各インパルス応答からターゲットユニットごとに音波伝達距離Ｌｄを求め、対応する物理距離Ｌｂと比較する。そして、全てのターゲットユニットについて、音波伝達距離Ｌｄと物理距離Ｌｂとが一致するか否かを判別することにより、各ターゲットユニットの故障検知が行われる。
【００９６】
また、実施の形態１及び２では、スピーカー筐体１０内に設けられたＤＳＰ１６が故障検知を行う場合の例について説明したが、本発明は、スピーカー筐体１０とは別個のコントローラが故障検知を行うものにも適用することができる。
【００９７】
また、実施の形態１及び２では、３以上のスピーカーユニット１１がスピーカー筐体１０に設けられたアレイスピーカー装置１に本発明を適用する場合の例について説明したが、本発明は、２個のスピーカーユニット１１からなるスピーカー装置にも適用することができる。
【符号の説明】
【００９８】
１００  拡声システム
１  アレイスピーカー装置
１０  スピーカー筐体
１１  スピーカーユニット
１２  センサーマイク
１３  放送用端子
１４，１５  ＡＤＣ
１６  ＤＳＰ
１７  ＤＡＣ
１８  パワーアンプ
２０  ターゲットユニット選択部
２１  音声信号供給部
２２  ノッチフィルタ
２３ａ，２３ｂ  狭帯域ＢＰＦ
２４  パワーレベル判別部
２５  エラー検知部
２５ａ  信号比較部
２５ｂ  故障判別部
２６  テスト帯域
３０  テスト信号生成部
３１  音声信号比較部
３２  エラー検知部
３３  周波数特性記憶部
３４  音速誤差算出部
３５  物理距離記憶部
３６  指向性制御部
４１  遅延時間検出部
４２  伝達距離算出部
４３  パワーレベル算出部
２  信号源
３  増幅器
４  外部音声信号
５  スピーカー駆動信号
６  集音信号
７  非ターゲット音声信号
８  リファレンス音声信号
９  検出音声信号
【図１】
2013190632.tif 000003
【図２】
2013190632.tif 000004
【図３】
2013190632.tif 000005
【図４】
2013190632.tif 000006
【図５】
2013190632.tif 000007
【図６】
2013190632.tif 000008
【図７】
2013190632.tif 000009
【国際調査報告】
2013190632.tif 000010
2013190632.tif 000011
2013190632.tif 000012
2013190632.tif 000013